(57)【特許請求の範囲】
【請求項１】
機器のケース本体を取付部位に設置するに際し、該取付部位に対向する前記ケース本体の外面側に沿わせる各種の配線類を収納するための配線収納構造において、
前記ケース本体の外面側に設けられ、前記各種の配線類を沿わせるブラケットと、前記配線類を配索する方向に沿って延び、該配線類から分岐した分岐線が埋没する１つ又は複数のガイド溝とを備え、
前記ガイド溝は、前記分岐線を埋め込ませた箇所の少なくとも一部を前記ブラケットで塞ぐことを特徴とする配線収納構造。
【請求項２】
前記ガイド溝は、その全長に亘り前記分岐線のコネクタも埋没させる大きさに設けられ、その全長のうち任意の箇所に前記コネクタを配置可能であることを特徴とする請求項１に記載の配線収納構造。
【請求項３】
前記ガイド溝は、前記ケース本体の長手方向の全長に亘って直線状に延びるように設けられたことを特徴とする請求項１または２に記載の配線収納構造。
【発明の詳細な説明】
【技術分野】
【０００１】
本発明は、機器のケース本体を取付部位に設置するに際し、該取付部位に対向する前記ケース本体の外面側に沿わせる各種の配線類を収納するための配線収納構造に関する。
【背景技術】
【０００２】
従来、この種の配線収納構造を備える機器としては、例えば照明装置があり、特に鉄道車両や航空機等の乗物の客室内に用いる照明装置として、ＬＥＤランプを光源に採用し、直接光ないし間接光により客室内を照らすように構成されたものが知られている。例えば特許文献１には、ＬＥＤ等を使用した直管状光源部と、直管状光源部に給電する給電部と、給電部が取り付けられる板状ケーシングの取付部と、給電部を介して直管状光源部に電力を供給する電源回路部と、を有する照明機器が開示されている。
【０００３】
かかる照明機器は、取付部の上面側（天井側）に電源回路部を収容する収容部を有し、電源回路部は収容部内に収容され、収容部に設けられたコネクタによって外部電源および給電部と電気的に接続される点に特徴がある。従って、照明機器全体を外すことなく電源回路部の交換を簡単に行うことができ、また、コネクタへの取り付けによって電気的に接続が完了するため、配線の余長をなくしてその振動を抑制することができる。
【０００４】
このような照明機器では、収容部内の電源回路部から直管状光源部（給電部）まで配線を引き回す必要がある。かかる配線は、取付部の上面側（天井側）に単純に這わすだけでは（特許文献１の図１参照）、取付部を天井側に密接に取り付けるような場合に、配線が天井との間で噛み込む虞があった。また、配線を適宜固定しないと、定めた位置に引き回すことができず、固定すべくタイマウント等の専用の固定具を用いると、部品点数が増えてコスト高を招き、また、固定具を実装する余分なスペースも必要になるという問題があった。
【０００５】
このような配線の配索に関する従来の技術として、例えば引用文献２には、点灯回路内蔵のＬＥＤ照明装置において、アルミニウム放熱筒に設けた放熱フィンと共用させた取り付け台を有し、この取り付け台に、配線スペースに使用できる隙間を設けたものが開示されている。ここでの隙間は、その全長に亘って何れの箇所においても閉じられることはない。また、隙間内の配線スペースは、配線のみを収納することができる程度の狭小なものであった。
【先行技術文献】
【特許文献】
【０００６】
【特許文献１】特開２０１１−２１８８４６号公報
【特許文献２】実用新案登録第３１６７２３０号公報
【発明の概要】
【発明が解決しようとする課題】
【０００７】
しかしながら、前述した特許文献２に開示された従来の技術では、配線スペースに使用できる隙間は、何れの箇所においても塞がれることはなく全長に亘って開放されており、振動等により配線が飛び出す虞があった。よって、隙間内に沿わせた配線であっても専用の固定具によって固定する必要があり、部品点数や組付工数を削減することができず、コスト高を招く虞があった。
【０００８】
また、隙間内の配線スペースは、配線のみを収納することができる程度の狭小なものであった。そのため、配線に付随したコネクタを、隙間の途中に局所的に収納するようなことは困難であるという問題もあった。
【０００９】
本発明は、以上のような従来の技術の有する問題点に着目してなされたものであり、ケース本体の外形内の溝に配線を収めることで、取付部位と配線が干渉することを防止することができ、また、配線を収めた溝を関連部品で塞ぐことで、専用の固定具を用いることなく、部品点数や組付工数を削減してコストを低減することができ、しかも、配線のみならずコネクタも確実に収納することができる配線収納構造を提供することを目的としている。
【課題を解決するための手段】
【００１０】
前述した目的を達成するための本発明の要旨とするところは、以下の各項の発明に存する。  
［１］機器（１０）のケース本体（１１）を取付部位（１）に設置するに際し、該取付部位（１）に対向する前記ケース本体（１１）の外面側に沿わせる各種の配線類（１５）を収納するための配線収納構造において、
前記ケース本体（１１）の外面側に設けられ、前記各種の配線類（１５）を沿わせるブラケット（１７，２０）と、前記配線類（１５）を配索する方向に沿って延び、該配線類（１５）から分岐した分岐線（１５ｄ）が埋没する１つ又は複数のガイド溝（３０）とを備え、
前記ガイド溝（３０）は、前記分岐線（１５ｄ）を埋め込ませた箇所の少なくとも一部を前記ブラケット（１７，２０）で塞ぐことを特徴とする配線収納構造。
【００１１】
［２］前記ガイド溝（３０）は、その全長に亘り前記分岐線（１５ｄ）のコネクタも埋没可能な大きさに設けられ、その全長のうち任意の箇所に前記コネクタを配置可能であることを特徴とする前記［１］に記載の配線収納構造。
【００１２】
［３］前記ガイド溝（３０）は、前記ケース本体（１１）の長手方向の全長に亘って直線状に延びるように設けられたことを特徴とする前記［１］または［２］に記載の配線収納構造。
【００１３】
次に、前述した解決手段に基づく作用を説明する。  
前記［１］に記載の配線収納構造によれば、機器（１０）のケース本体（１１）の外面側に各種の配線類（１５）をブラケット（１７，２０）によって沿わせた状態で、該外面側を取付部位（１）に対して設置することになるが、このとき、分岐線（１５ｄ）は、ケース本体（１１）の外面側に予め設けてあるガイド溝（３０）に埋め込むように配索する。
【００１４】
かかるガイド溝（３０）は、ケース本体（１１）の外面側で配線類（１５）を配索する方向に沿って延びており、ガイド溝（３０）に分岐線（１５ｄ）を埋め込ませることができる。これにより、分岐線（１５ｄ）をケース本体（１１）の外面側にてガイド溝（３０）に埋め込むだけで容易に位置決めすることができ、配索の作業効率を向上させることができる。
【００１５】
しかも、ガイド溝（３０）にて分岐線（１５ｄ）を埋め込ませた箇所の少なくとも一部は、配線類（１５）の関連部品であるブラケット（１７，２０）によって塞がれる。従って、分岐線（１５ｄ）を専用の固定具を用いてガイド溝（３０）内に特別に固定する必要はなく、分岐線（１５ｄ）の配索に関する部品点数や組立工数を削減することができる。
【００１６】
さらに、ケース本体（１１）の外形内に分岐線（１５ｄ）が収まるため、分岐線（１５ｄ）がケース本体（１１）と取付部位（１）の間に挟み込まれて潰れたり、他の部位との接触により損傷する虞もなく、分岐線（１５ｄ）の保護の強化が図られることで安全性を高めることができる。
【００１７】
前記［２］に記載の配線収納構造によれば、前記ガイド溝（３０）は、その全長に亘り分岐線（１５ｄ）のコネクタも埋没させる大きさに設けられ、その全長のうち任意の箇所にコネクタを配置することができる。これにより、分岐線（１５ｄ）のみならずコネクタもガイド溝（３０）に確実に収納することができ、しかも、コネクタを収納する位置は、ガイド溝（３０）の全長に亘って任意に定めることができる。
【００１８】
また、前記［３］に記載の配線収納構造によれば、前記ガイド溝（３０）は、ケース本体（１１）の長手方向の全長に亘って直線状に延びるように設けられている。ここでガイド溝（３０）の全長に亘って分岐線（１５ｄ）を収納する必要はなく、ケース本体（１１）の外面側にて分岐線（１５ｄ）が配索される範囲で、当該範囲にあるガイド溝（３０）の一部を利用すれば良い。これにより、分岐線（１５ｄ）を配索可能な範囲が広がるだけでなく、ケース本体（１１）を押し出し成形する場合には、かえって容易にガイド溝（３０）を一体成形することができる。
【発明の効果】
【００１９】
本発明に係る配線収納構造によれば、配線類をケース本体の外面側にてガイド溝に沿わすだけで容易に位置決めすることができ、配索の作業効率を向上させることができる。また、ガイド溝に配線類を埋め込ませた箇所の少なくとも一部を配線類の関連部品で塞ぐため、配線類を専用の固定具でガイド溝内に固定する必要はなく、配線類の配索に関する部品点数や組立工数を削減することができる。
【００２０】
また、ケース本体の外形内に配線類が収まるため、配線類がケース本体と取付部位の間に挟み込まれて潰れたり、他の部位との接触により損傷する虞もなく、保護の強化が図られることで安全性を高めることができる。さらに、配線類のみならずコネクタもガイド溝に確実に収納することができる。しかも、コネクタを収納する位置は、ガイド溝の全長に亘って任意に定めることができる。
【図面の簡単な説明】
【００２１】
【図１】本発明の実施の形態に係る配線収納構造を備えた機器を示す斜視図である。
【図２】本発明の実施の形態に係る配線収納構造を備えた機器の端部を拡大して示す斜視図である。
【図３】本発明の実施の形態に係る配線収納構造を備えた機器を示す平面図である。
【図４】本発明の実施の形態に係る配線収納構造を備えた機器に取付部位を重ね合わせて示す平面図である。
【図５】本発明の実施の形態に係る配線収納構造を備えた機器の途中を拡大して示す斜視図である。
【図６】本発明の実施の形態に係る配線収納構造の余長ガイドを拡大して示す斜視図である。
【図７】本発明の実施の形態に係る配線収納構造の余長ガイドの作用を説明するための説明図である。
【発明を実施するための形態】
【００２２】
以下、図面に基づき、本発明を代表する実施の形態を説明する。  
図１〜図７は、本発明の一実施の形態を示している。  
本実施の形態に係る配線収納構造は、機器１０のケース本体１１を取付部位１に設置するに際し、該取付部位１に対向する前記ケース本体１１の外面側に沿わせる各種の配線類１５を収納するための構造である。以下、機器として、乗物の客室内に用いる照明装置に適用した場合を例に説明する。
【００２３】
機器１０である照明装置は、図示省略したが乗物の客室内の天井部に配置されるものであり、ＬＥＤランプを光源に採用し、直接光ないし間接光により客室内を照らすように構成されている。かかる照明装置は、機器１０の外形を成すケース本体１１と、該ケース本体１１の上面側に配設される電源基板１４と、外部から電源基板１４に給電する電源ケーブルを含む配線類１５の他、図示省略した前記ＬＥＤランプ等を備えている。さらに、機器１０には、前記配線類１５を沿わせるブラケット１７，２０が配設されている。
【００２４】
図１に示すように、ケース本体１１は全体的には長尺に延びた形状であり、細長矩形の上面部１２と、その下側を囲むように覆うカバー部１３とから成る。ケース本体１１は、そのカバー部１３側を下方に向けた状態で客室内の天井部に設置される。かかる天井部には、上面部１２の外面側（天井部側）を対接させた状態に取り付けるクロスメンバ等の取付部位１（図４参照）が予め設けられている。
【００２５】
上面部１２は、アルミニウム等の金属や不燃性の樹脂等により容易に押出し成形することができる板状となっている。ただし、単に平らな板状に限ることなく、要所で湾曲ないし屈曲させた断面形状に成形しても良く、その外面ないし内面には、それぞれ必要に応じて凹溝や凸条等を成形時に一体成形しても良い。このような上面部１２の外面側（天井部側）に、電源基板１４や配線類１５、それにブラケット２０等が配設されている。また、上面部１２の外面側には、後述するが配線類を収納するガイド溝３０が予め設けられている。
【００２６】
カバー部１３は、その内部に配設されたＬＥＤランプから出射された光を直接光または間接光として透過させるものであり、透光性の樹脂材料により成形されている。かかるカバー部１３は、前記上面部１２の内面側を囲むように取り付けられるものであり、例えば図示したケース状に成形されている。本機器１０ではカバー部１３の内側に、電源基板１４や配線類１５等を収納するスペースはなく、これらは前述したように上面部１２の外面側（天井部側）に配設される。
【００２７】
ケース本体１１の上面部１２の外面側（天井部側）には、その長手方向の一端側から他端側にかけて配線類１５がほぼ直線方向に延ばした状態で配索されている。ここで配線類１５は、各種の配線類のうち給電するための電源コードであるが、配線類はこれに限られることなく、例えば点灯制御を行うコントローラ１９（図５参照）を備える場合には、その信号線等も含むものである。さらに、給電用の電源コードや制御用の信号線に限られることなく、様々な電線、コード、ハーネスの類が該当する。
【００２８】
ケース本体１１の上面部１２の外面側には、配線類としてメインの前記配線類１５の他にも、この配線類１５から分岐して電源基板１４に接続する分岐線１５ｃ（図３参照）や、電源基板１４とコントローラ１９とを接続する分岐線１５ｄ（図５参照）等も配索されている。
また、上面部１２の外面側には、その長手方向の一端側から他端側にかけて何れかの配線類を配索する方向に沿って延び、当該配線類を埋没させて収納するためのガイド溝３０が予め設けられている。
【００２９】
前記電源基板１４は、ハウジングに収納された状態で上面部１２の外面側の略中央に配設されている。電源基板１４は、外部から給電された交流電力をＬＥＤ点灯用の直流に変換するものであり、配線類１５の途中に分岐線１５ｃ（図３参照）を介して接続されている。また、配線類１５は、電線（図示せず）を介してＬＥＤランプに接続されている。さらに、図５以外の各図では図示省略したが、配線類１５の傍らには、点灯制御を行うコントローラ（制御基板）１９がハウジングに収納された状態で配設されている。このコントローラ１９も、電源基板１４とは分岐線１５ｄを介して接続されている。
【００３０】
本実施の形態では、各種配線類のうち主に分岐線１５ｄを収納するための配線収納構造として、一対のガイド溝３０，３０が、ケース本体１１の上面部１２の外面側における幅方向の中央付近にて互いに平行に直線状に延びるように設けられている。かかるガイド溝３０は、本実施の形態では２つ設けたことで、配線の設計仕様（配索位置等）に応じて何れかのガイド溝３０を適宜選択して使用することができる。ただし、複数のガイド溝３０が必要なければ、ガイド溝３０は１つだけでも足り、あるいは３つ以上のガイド溝３０を所定の位置に延びるように設けても良い。
【００３１】
各ガイド溝３０は、分岐線１５ｄの少なくとも径全体が埋没する大きさの矩形に凹む断面形状であり、分岐線１５ｄを全体的に埋め込ませた状態に収納することができる。各ガイド溝３０には、同様に分岐線１５ｃも全体的に埋め込ませた状態に収納することができるが、メインの配線類１５は径が大きく収納することはできない。ただし、各ガイド溝３０の大きさ形状は任意の設計事項であり、配索する配線類の径の大きさに応じて設計すれば良い。
【００３２】
また、ガイド溝３０は、その全長に亘り分岐線１５ｄのコネクタ（図示せず）も埋没可能な大きさに設けられており、その全長のうち任意の箇所にコネクタを配置可能となっている。ここでコネクタは、図５中でも図示省略したが分岐線１５ｄに設けられており、電源基板１４またはコントローラ１９に対して接続するものである。もちろん、分岐線１５ｄ以外の配線類をガイド溝３０に埋没させる場合には、当該配線類の途中や両端に設けたコネクタも埋没させることができる程度の大きさ形状にガイド溝３０を予め設計すると良い。
【００３３】
さらに、ガイド溝３０に、配線類（分岐線１５ｄ）を埋め込ませた箇所の少なくとも一部は、配線類の関連部品で塞がれている。ここで関連部品とは、タイマウント等の専用の固定具ではなく、配線類に関連して構造上必須となる部品であり、元々はガイド溝３０を塞ぐことは意図していなかったものである。本実施の形態では、関連部品として配線類１５を沿わせるブラケット１７，２０等が該当し、これらの部品の一部分を、ガイド溝３０の一部を跨ぐように上面部１２の外面側に対接させることになる。
【００３４】
図１において、電源基板１４より上面部１２の一端側には、配線類１５を直線方向に延ばした状態で沿わせるブラケット１７が配設されている。このブラケット１７より延出した配線類１５の一端側は、上面部１２の一端側に固定されており、その先端に接続用のコネクタ１６ａが設けられている。このコネクタ１６ａは、また別のブラケット１８を介して上面部１２の一端に固定されている。ブラケット１７は、細幅状に延びて全長に亘りＬ字形断面に折曲された金属片から成り、底面壁には上面部１２に固定する一対の取付片が延び出るように設けられている。
【００３５】
ブラケット１７は、その底面壁が上面部１２の外面側の一側端縁に沿って固定され、該ブラケット１７の底面壁と側面壁の角の内側に沿うように配線類１５は配索される。ここでブラケット１７の底面壁にある前記一対の取付片の間に、図１等では図示省略した前記コントローラ１９が配設される。このコントローラ１９と電源基板１４を接続する分岐線１５ｄがガイド溝３０に埋め込まれ、当該箇所の一部が、ブラケット１７の底面壁にある一の取付片によって塞がれる。なお、図５中では、配線類１５やブラケット１７は図示省略している。
【００３６】
一方、電源基板１４より上面部１２の他端側には、配線類１５をその余長部分１５ａを除き直線方向に延ばした状態に沿わせるブラケット２０が配設されている。このブラケット２０より延出した配線類１５の他端側は、固定されておらず機器１０（ブラケット２０）に対して押し引き可能であり、余長部分１５ａの変化に応じて長さを調整可能な延出部分１５ｂとなっている。この延出部分１５ｂの先端にも、接続用のコネクタ１６ｂが設けられている。
【００３７】
図６、図１に示すように、前記ブラケット２０は、主として細幅状に延びて一部がＬ字形断面に折曲された２つの金属片２０ａ，２０ｂを上下に組み合わせて成り、全体として直線方向に延びる一部品として構成されている。上方の金属片２０ａの上面壁と下方の金属片２０ｂの底面壁は互いに上下平行に対向し、また、それぞれの側面壁は互いに左右平行に対向しており、これらの内側が、配線類１５（余長部分１５ａを除く）を直線状に収納する空間となっている。
【００３８】
上下の金属片２０ａ，２０ｂは、それぞれを離隔させた状態に固定するためのカラーやカラーに挿通させたボルト等で一体に組み合わされている。また、下方の金属片２０ｂの底面壁には、その両端に前記上面部１２に固定する一対の取付片が延び出るように設けられている。ブラケット２０も、前記ブラケット１７と同様に、上面部１２の外面側の一側端縁に沿って固定されている。そして、ブラケット１７の底面壁にある一対の取付片も、前記ブラケット１７と同様に、ガイド溝３０の途中を跨いで上から塞ぐように上面部１２の外面側に対接している。
【００３９】
図６に示すように、ブラケット２０の基端側には、配線類１５の余長部分１５ａを収納するための余長ガイド２１が設けられている。ここで余長部分１５ａは、配線類１５を外部と接続する作業時に必要となる遊び分の長さがあり、余長部分１５ａの湾曲に応じて前記延出部分１５ｂを機器１０（ブラケット２０）に対して引き出したり押し込めることができる。機器１０である照明装置は、複数が客室内の天井部に沿って前後方向に密に並ぶよう直列状に配置されるものであり、詳しくは後述するが、各機器１０を順次取り付ける際に、余長部分１５ａが接続作業上必要となる。
【００４０】
余長ガイド２１は、配線類１５の余長部分１５ａを、該配線類１５全体が延びる直線方向の側方に湾曲させて導き、ブラケット２０より延び出る前記延出部分１５ｂの長さを調整可能なものである。詳しく言えば余長ガイド２１は、ブラケット２０の基端側にて直線方向に相互に離隔して配され、配線類１５の途中が屈曲可能に接触する２つの固定軸２２，２３から成る。ここで固定軸２２，２３は、前述した各金属片２０ａ，２０ｂを互いに対向する状態に固定するためのカラーないしボルトが相当する。
【００４１】
このような余長ガイド２１によれば、配線類１５の余長部分１５ａは、２つの固定軸２２，２３の間を通って側方に湾曲すると共に、前記延出部分１５ｂの押し引きに応じて、２つの固定軸２２，２３の間にて湾曲方向が規制されつつ湾曲長さが変化する状態に配索される。ここで余長部分１５ａは、２つの固定軸２２，２３の間の一方側には湾曲するが、他方側は金属片２０ａの側面壁によって湾曲が規制される。
【００４２】
図６において、一の固定軸２２に対しては、余長部分１５ａの手前側が接触することで、該余長部分１５ａは直線状の状態から側方に湾曲するように屈曲する。この固定軸２２よりブラケット２０の手前側に離隔した位置には、配線類１５の途中が接触することで、固定軸２２に至る配線類１５の途中をブラケット２０内に留めて直線状に保つための固定軸２４が設けられている。なお、固定軸２２は、各金属片２０ａ，２０ｂ間に溶接したカラーであるが、固定軸２４は、各金属片２０ａ，２０ｂ間に固定したカラー付きボルトである。
【００４３】
他の固定軸２３に対しては、余長部分１５ａの奥側が接触することで、該余長部分１５ａは湾曲した状態から直線状に戻るように屈曲する。この固定軸２３の直ぐ手前には、配線類１５が挿通可能な隙間分だけ離れた位置に、配線類１５の動きを固定軸２３と共に湾曲方向に規制する固定軸２５が設けられている。このような固定軸２５は、固定軸２３による余長部分１５ａの動きの規制を補助するものであり、各金属片２０ａ，２０ｂ間に溶接したカラーである。なお、固定軸２３は、各金属片２０ａ，２０ｂ間に固定したカラー付きボルトである。
【００４４】
前記ブラケット２０で余長ガイド２１がある部位には、配線類１５の湾曲した余長部分１５ａを上方から覆う状態に配され、該余長部分１５ａの上方への変形を規制するカバー部２１ａが設けられている。かかるカバー部２１ａは、上方の金属片２０ａにおける上面壁の基端側より、側方に延び出る舌片状に設けられている。なお、カバー部２１ａは、前述した下方の金属片２０ｂの底面壁にある一方の取付片と上下に対向するように配されている。
【００４５】
図７に示すように、ブラケット２０の先端側は、配線類１５の延出部分１５ｂが押し引きされる際に出没可能に開口している。かかる開口の傍らも、各金属片２０ａ，２０ｂを互いに対向する状態に固定するカラー付きボルト２６によって支持されている。なお、配線類１５は多少の力を加えた程度では座屈しない硬さを備えており、配線類１５の延出部分１５ｂを前記開口より出没するように押し引きすることができる。
【００４６】
次に、本実施の形態に係る配線収納構造の作用について説明する。  
一般に、この種の機器１０の配線類１５，１５ｃ，１５ｄの配索作業に際しては、その経路を予め図面で指示しておいたり、配線類１５等を固定するための専用の固定具を必要としてきたが、本配線収納構造ではガイド溝３０を設けることにより、配索の作業効率の向上と配線の保護の強化を両立することができる。
【００４７】
特に、ケース本体１１の外面側に配線類１５等が表出する構造の場合には、取付部位１に対するケース本体１１の取り付け時における配線類１５等の挟み込みや、配線類１５等の他の部位との接触による損傷の虞があるが、本配線収納構造を適用することにより、配線類の保護強化を実現することができ安全性を向上させることができる。
【００４８】
本実施の形態では、図５、図４に示すように、機器１０のケース本体１１の外面側に各種の配線類１５等を沿わせた状態で、該外面側を取付部位１に対して設置することになる。このとき、ブラケット１７等に沿わせない剥き出しの分岐線１５ｄは、ケース本体１１の外面側に予め設けてあるガイド溝３０に埋め込むように配索する。
【００４９】
かかるガイド溝３０は、ケース本体１１の外面側にて分岐線１５ｄを配索する方向に沿って延びており、ガイド溝３０に分岐線１５ｄの径全体を埋め込ませることができる。これにより、分岐線１５ｄはケース本体１１の外面側にてガイド溝３０に埋め込むだけで容易に位置決めすることができ、配索の作業効率を向上させることができる。
【００５０】
しかも、ガイド溝３０にて分岐線１５ｄを埋め込ませた箇所の少なくとも一部は、配線類１５の関連部品であるブラケット１７自体によって塞がれる。従って、分岐線１５ｄを専用の固定具を用いてガイド溝３０内に特別に固定する必要はなく、分岐線１５ｄの配索に関する部品点数や組立工数を削減することができる。また、ガイド溝３０において関連部品で塞いでいない部位は、天井部側に取り付けたグロメット等の取付部位１に対接させることで塞ぐようにしても良い。
【００５１】
このように、ケース本体１１の外形内に分岐線１５ｄが収まるため、分岐線１５ｄがケース本体１１と取付部位１の間に挟み込まれて潰れたり、他の部位との接触により損傷する虞もなく、分岐線１５ｄの保護の強化が図られることにより、いっそう安全性を高めることができる。なお、図４に示すように、取付部位１は、ケース本体１１の外面側に出っ張る電源基板１４等を回避する位置に配置され、天井部からケース本体１１の下端までの距離がなるべく短く嵩張らないように工夫されている。
【００５２】
また、ガイド溝３０は、その全長に亘り分岐線１５ｄにあるコネクタ（図示せず）も埋没させる大きさに設けられており、その全長のうち任意の箇所にコネクタを配置することができる。これにより、分岐線１５ｄのみならずコネクタもガイド溝３０に確実に収納することができ、しかも、コネクタを収納する位置は、ガイド溝３０の全長に亘って任意に定めることができる。
【００５３】
さらに、ガイド溝３０は、ケース本体１１の長手方向の全長に亘って直線状に延びるように設けられているが、その全長に亘って分岐線１５ｄを収納する必要はなく、ケース本体１１の外面側にて分岐線１５ｄが配索される範囲で、当該範囲にあるガイド溝３０の一部を利用すれば良い。これにより、分岐線１５ｄを配索可能な範囲が広がるだけでなく、ケース本体１１を押し出し成形する場合には、かえって容易にガイド溝３０を一体成形することができる。
【００５４】
また、図１に示すように、メインの配線類１５は、ブラケット２０に対して、余長部分１５ａを除き直線方向に延ばした状態に沿わせて収納される。かかるブラケット２０には余長ガイド２１が設けられており、余長部分１５ａを含めて小スペースに収納することができる。また、配線類１５に関しても専用の固定具を用いて固定する必要はなく、配索作業も容易に行うことができる。
【００５５】
図７に示すように、ブラケット２０の余長ガイド２１は、配線類１５の余長部分１５ａを直線方向の側方に湾曲させて導くことにより、ブラケット２０の一端側より延び出る配線類１５の延出部分１５ｂの長さを調整することができる。すなわち、ブラケット２０の開口より配線類１５の延出部分１５ｂを外部に引き出すと、余長ガイド２１に導かれて湾曲した余長部分１５ａは短くなる一方、ブラケット２０の開口より配線類１５の延出部分１５ｂを内部に押し込むと、余長ガイド２１に導かれて湾曲する余長部分１５ａは長くなる。
【００５６】
このような配線収納構造によれば、配線類１５はブラケット２０に沿って直線状に収納されると共に、延出部分１５ｂの引き出し量に応じて湾曲長さが変化する余長部分１５ａも、余長ガイド２１により定位置にとどめることができる。従って、配線に十分な余長部分１５ａを持たせることが可能となり、機器１０を設置する際には、配線の他の機器１０ないし外部との接続作業が容易となる。
【００５７】
複数の機器１０を客室内の天井部に対して直列状に連続して設置する場合、１つずつ機器１０を天井部に取り付けながら配線類１５を順次接続することになる。すなわち、機器１０を、既に天井部に取り付けた機器１０に隣接させて取り付ける際、各機器１０の配線類１５同士を互いに直列に接続するが、この接続作業の便宜上、これから取り付ける機器１０より配線類１５の余長部分１５ａの長さ分だけ、延出部分１５ｂをブラケット２０の外部に引き出しておく。そして、延出部分１５ｂの先にあるコネクタ１６ｂを、他の機器１０の一端側より覗く配線類１５のコネクタ１６ａに容易に接続することができる。
【００５８】
隣接する機器１０同士の配線類１５を互いに接続した後は、延出部分１５ｂを引き出していた機器１０を新たに天井部に取り付けつつ、その延出部分１５ｂをブラケット２０の先端側の開口より内部に押し込めるようにする。かかる動作に伴って、ブラケット２０内で増大する余長部分１５ａは、余長ガイド２１によって側方に大きく湾曲しつつ収納されることになる。
【００５９】
このように、機器１０の取り付けの際、あるいは取り外しに際しても、余長部分１５ａないし延出部分１５ｂの伸縮の自由度が大きいため、機器１０自体の着脱作業も容易となり、配線類１５の接続箇所（コネクタ１６ａ等）に負担がかかることもない。さらに、機器１０の設置後においては、余長部分１５ａが余長ガイド２１によって定位置に収められるため、機器１０の振動に伴ってバタつくこともなく、異音の発生も防ぐことができる。
【００６０】
余長ガイド２１は、前述したようにブラケット２０にて直線方向に相互に離隔して配した２つの固定軸２２，２３から構成することができる。余長部分１５ａは、２つの固定軸２２，２３の間を通って側方に湾曲すると共に、延出部分１５ｂの押し引きに応じて、２つの固定軸２２，２３の間にて湾曲方向が規制されつつ湾曲長さが変化する。このような非常に簡易な構成により、配線類１５の余長部分１５ａの動きを所定範囲に規制しつつ湾曲長さを吸収でき、余長部分１５ａを定位置に収めることができる。
【００６１】
また、ブラケット２０にて、余長ガイド２１がある部位には、余長部分１５ａを上方から覆う状態に配され、該余長部分１５ａの上方への変形を規制するカバー部２１ａが設けられている。これにより、余長部分１５ａが側方のみならず、上方へ変形することを確実に防止することができ、いっそう余長部分１５ａの余計な動きによる異音の発生を防止することができる。なお、余長部分１５ａの下方に関しては、ブラケット２０の底面壁や上面部１２自体の外表面によって下方への変形を規制できる。
【００６２】
さらに、ブラケット２０は、前述したように上下の金属片２０ａ，２０ｂを組み合わせた一部品から成り、その内側に、配線類１５を湾曲した余長部分１５ａを除き直線状に収納する空間を備え、先端側に、延出部分１５ｂが押し引きされた際に出没可能な開口が設けられている。このようなブラケット２０の構成によれば、部品点数や組立工数も少なく、容易に製作することができ、コストを低減することができる。
【００６３】
そして、前述した本実施の形態の構成より、ガイド溝３０以外にも以下のような発明概念も導かれる。  
機器１０に配設されて、配線類１５を直線方向に延ばした状態に沿わせるブラケット２０を備え、該ブラケット２０に、配線類１５の余長部分１５ａを直線方向の側方に湾曲させて導き、該ブラケット２０の先端側より延び出る配線類１５の延出部分１５ｂの長さを調整可能な余長ガイド２１を設けた。
【００６４】
前記余長ガイド２１は、ブラケット２０にて直線方向に相互に離隔して配され、配線類１５の途中が屈曲可能に接触する２つの固定軸２２，２３から成り、配線類１５の余長部分１５ａは、２つの固定軸２２，２３の間を通って側方に湾曲すると共に、配線類１５の延出部分１５ｂの押し引きに応じて、２つの固定軸２２，２３の間にて湾曲方向が規制されつつ湾曲長さが変化する状態に配索された。
【００６５】
前記ブラケット２０にて、余長ガイド２１がある部位に、配線類１５の湾曲した余長部分１５ａを上方から覆う状態に配され、該余長部分１５ａの上方への変形を規制するカバー部２１ａを設けた。
【００６６】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、機器１０として照明装置を例に説明したが、特に照明装置に限定されるものではなく、配線類を備えた様々な装置に適用することができる。
【００６７】
また、ケース本体１１やガイド溝３０の具体的な形状も、図示した例に限定されることはない。もちろん、ガイド溝３０は、分岐線１５ｄ以外の他の配線類を収納できるように構成しても良い。さらに、ガイド溝３０には、配線類以外でも例えば取付部位１に固定するためのボルトの頭部等の他部材に関しても、その少なくとも一部を収納できるように構成しても良い。
【００６８】
また、余長ガイド２１に関しては、２つの固定軸２２，２３以外の構造により、同等の作用を発揮し得るように構成しても良い。さらに、２つの固定軸２２，２３については、その外周が回転する構成として、配線類１５が滑らかに摺接して屈曲するように構成しても良い。
【産業上の利用可能性】
【００６９】
本発明に係る配線収納構造は、乗物の客室内に用いる照明装置に限られることなく、各種の配線類を備えた様々な機器に幅広く利用することができる。
【符号の説明】
【００７０】
１…取付部位
１０…機器
１１…ケース本体
１２…上面部
１３…カバー部
１４…電源基板
１５…配線類
１５ａ…余長部分
１５ｂ…延出部分
１５ｃ…分岐線
１５ｄ…分岐線
１６ａ…コネクタ
１６ｂ…コネクタ
１７…ブラケット
２０…ブラケット
２１…余長ガイド
２１ａ…カバー部
２２…固定軸
２３…固定軸
２４…固定軸
２５…固定軸
３０…ガイド溝
【図１】
0006406910.tif 000002
【図２】
0006406910.tif 000003
【図３】
0006406910.tif 000004
【図４】
0006406910.tif 000005
【図５】
0006406910.tif 000006
【図６】
0006406910.tif 000007
【図７】
0006406910.tif 000008